(57)【要約】【課題】本発明の課題は、スイッチボックス内の１ユニット分のスペースで光アウトレットを取り付けることが可能となり、スイッチボックス内のスペースの有効利用ができ、また、スイッチボックス内部での光ファイバ心線余長の処理を不要にすることにある。【解決手段】本発明は、光アウトレット７の表側及び裏側にそれぞれ設けられた光コネクタ差込口１，２と、フェルールレス光ファイバ３の両端に設けられた調心スリーブ４がそれぞれ対応して前記各コネクタ差込口１，２に配置されたフェルールレス光ファイバ３と、スイッチボックスの一部に取り付けられる光アウトレット７の取付枠固定部５とを具備することを特徴とするものである。【選択図】図１
2005084219.tif 000002
【特許請求の範囲】
【請求項１】
光アウトレットの表側及び裏側にそれぞれ設けられた光コネクタ差込口と、
光ファイバの両端に設けられた調心スリーブがそれぞれ対応して前記各コネクタ差込口に配置された光ファイバと、
スイッチボックスの一部に取り付けられる光アウトレットの取付枠固定部と
を具備することを特徴とする光アウトレット。
【請求項２】
請求項１記載の光アウトレットにおいて、光アウトレット内部にＳＣ形光コネクタやＭＵ形光コネクタと直接ＰＣ（Ｐｈｙｓｉｃａｌ  Ｃｏｎｔａｃｔ）接続可能なフェルールレス光ファイバを実装していることを特徴とする光アウトレット。
【請求項３】
請求項１記載の光アウトレットにおいて、光アウトレット内部にＳＣ形光コネクタやＭＵ形光コネクタと接続可能なレセプタクルを実装したことを特徴とする光アウトレット。
【請求項４】
請求項１、２又は３記載の光アウトレットにおいて、光コネクタ差込口が表側と裏側にそれぞれ複数個設けられることを特徴とする光アウトレット。
【発明の詳細な説明】
【技術分野】
【０００１】
本発明は、光ファイバの幹線ケーブルと配線ケーブルとの接続点である光アウトレットに関する。
【背景技術】
【０００２】
従来の光アウトレット技術としては、光アウトレット内部に光コネクタ用のアダプタを設け、その設けられたアダプタを介して光コネクタ同士を接続する方法が知られている。
【０００３】
また、その光アウトレット内部には光ファイバ心線の余長が設けられており、その心線余長を収納するための心線余長収納部を有した光アウトレットなどが知られている。
従来の先行文献としては、例えば、特許文献１がある。
【０００４】
【特許文献１】特開平９−１２７３６９号公報
【発明の開示】
【発明が解決しようとする課題】
【０００５】
しかしながら、従来の光アウトレットを使用した方法では、その内部に設けられている接続部及び収納部の大きさから埋込式１連スイッチボックス内のスペースを全て専有し、電話口であるモジュラジャック、ＴＶアンテナ用の同軸用口の併設が困難であった。
【０００６】
また、光ファイバ心線余長の処理には専門的知識や技術が必要であるため、専門的知識や技術を有しない一般のユーザが自ら施工を行うには困難であった。
【０００７】
本発明は上記の事情に鑑みてなされたもので、スイッチボックス内の１ユニット分のスペースで光アウトレットを取り付けることが可能となり、スイッチボックス内のスペースの有効利用ができ、また、スイッチボックス内部での光ファイバ心線余長の処理を必要としない光アウトレットを提供することを目的とする。
【課題を解決するための手段】
【０００８】
上記目的を達成するために本発明の光アウトレットは、光アウトレットの表側及び裏側にそれぞれ設けられた光コネクタ差込口と、光ファイバの両端に設けられた調心スリーブがそれぞれ対応して前記各コネクタ差込口に配置された光ファイバと、スイッチボックスの一部に取り付けられる光アウトレットの取付枠固定部とを具備することを特徴とするものである。
【０００９】
また本発明は、前記光アウトレットにおいて、光アウトレット内部にＳＣ形光コネクタやＭＵ形光コネクタと直接ＰＣ（Ｐｈｙｓｉｃａｌ  Ｃｏｎｔａｃｔ）接続可能なフェルールレス光ファイバを実装していることを特徴とするものである。
【００１０】
また本発明は、前記光アウトレットにおいて、光アウトレット内部にＳＣ形光コネクタやＭＵ形光コネクタと接続可能なレセプタクルを実装したことを特徴とするものである。
【００１１】
また本発明は、前記光アウトレットにおいて、光コネクタ差込口が表側と裏側にそれぞれ複数個設けられることを特徴とするものである。
【００１２】
本発明の光アウトレットを利用することで、従来の光アウトレットでは１連のスイッチボックス分のスペースを必要としていたが、１連スイッチボックス内の１ユニット分のスペースで光アウトレットを取り付けることが可能となる。
【００１３】
その結果、空いたスペースに電話口であるモジュラジャック、ＴＶアンテナ用の同軸用口の併設が可能となり、スイッチボックス内のスペースの有効利用ができる。
【００１４】
また、本発明の光アウトレットはそのアウトレット内部に、従来のフェルールとクラッド径がほとんど同一であるフェルールレス光ファイバを使用することで、スイッチボックス内部での光ファイバ心線余長を有することなくスイッチボックス内部に設置することが可能となる。
【発明の効果】
【００１５】
本発明の光アウトレットは、スイッチボックス内の１ユニット分のスペースで光アウトレットを取り付けることが可能となり、スイッチボックス内のスペースの有効利用ができ、また、スイッチボックス内部での光ファイバ心線余長の処理を不要にすることができる。
【発明を実施するための最良の形態】
【００１６】
以下図面を参照して本発明の実施の形態例を詳細に説明する。
図１は本発明の実施形態例に係る光アウトレットを示す斜視図である。図におて、１は表側のＳＣ形光コネクタ差込口、２は裏側のＳＣ形光コネクタ差込口、３は従来のフェルールとクラッド径がほとんど同一であるフェルールレス光ファイバ、４は調心スリーブ、５は取付枠固定部、７は光アウトレットである。
【００１７】
すなわち、光アウトレット７の表側には複数の表側ＳＣ形光コネクタ差込口１が下方に開口して設けられ、光アウトレット７の裏側には複数の裏側ＳＣ形光コネクタ差込口２が上方に開口して設けられる。前記各表側ＳＣ形光コネクタ差込口１内および前記各裏側ＳＣ形光コネクタ差込口２内にはそれぞれ対応して調心スリーブ４が配置され、前記各表側ＳＣ形光コネクタ差込口１内に配置された調心スリーブ４と、前記各裏側ＳＣ形光コネクタ差込口２内に配置された調心スリーブ４との間には光ファイバ例えばフェルールレス光ファイバ３がそれぞれ対応して接続される。フェルールレス光ファイバ３は従来のＦ０４形単心光ファイバコネクタであるＳＣ形光コネクタやＭＵ形光コネクタと直接ＰＣ接続可能である。また、光アウトレット内部にＳＣ形光コネクタやＭＵ形光コネクタと接続可能なレセプタクルを実装してもよい。前記光アウトレット７の両側にはそれぞれ対応してスイッチボックスの一部に取り付けられる取付枠固定部５が設けられる。
【００１８】
図２は本発明の一使用例を示す分解斜視図である。すなわち、日本工業規格（ＪＩＳ）Ｃ８３０５などに準拠した１連スイッチボックス６は上部に配管８が設けられ、この配管８を通して幹線ケーブルの光ケーブル１５が１連スイッチボックス６内に取り出され、この幹線ケーブルの光ケーブル１５の先端にはＳＣ形光コネクタが取り付けられたＳＣ形光コネクタアダプタ９が設けられている。前記ＳＣ形光コネクタアダプタ９が裏側ＳＣ形光コネクタ差込口に挿入接続された光アウトレット７を取付枠１０に取り付け、その取付枠１０を前記１連スイッチボックス６内に固定する。その後、フェースプレイト取付枠１１を取付枠１０に取り付け、その上にフェースプレイト１２を取り付ける。前記フェースプレイト１２により前記１連スイッチボックス６の開口部を塞ぐようにする。この場合、図３に示すように、光アウトレット７の表側ＳＣ形光コネクタ差込口１はフェースプレイト１２より外部に突出するようにして取り付ける。その後、図４に示すように、配線ケーブルの光ケーブル１５′に設けられたＳＣ形光コネクタアダプタ９が光アウトレット７の表側ＳＣ形光コネクタ差込口１に挿入接続される。
【００１９】
図５は本発明の他の使用例を示す分解斜視図である。すなわち、スイッチボックス６に取付けた光アウトレット７の上部に電話用モジュラジャック１３を併設し、電話用プラグ１４を差込んだ状態を示す。
【００２０】
このように、光接続を可能とする光アウトレットにおいて、その光アウトレットが電話の差込口などで使用されているモジュラジャックと同じく、埋込式スイッチボックスの１ユニット分を専有するだけで取り付け可能な光アウトレットを構成することができる。
【００２１】
なお、本実施形態例においては光アウトレット７の表側ＳＣ形光コネクタ差込口１が下向きのため、光アウトレット７の下部への電話用モジュラジャックの取付けは困難に見えるが、これは光アウトレットの表側ＳＣ形光コネクタ差込口の角度を電話用モジュラジャックと同じく水平にすることや、光アウトレットの取付け位置を取付枠の最下部に配置することで対応できる。
【００２２】
また、本実施形態例においてはＳＣ形光コネクタを用いた接続を行っているが、ＭＵ形光コネクタや、ＭＴＲＪ形光コネクタなど、その光コネクタの種類に限定されるものではない。
【００２３】
なお、本発明は、上記実施形態例そのままに限定されるものではなく、実施段階での要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２４】
【図１】本発明の実施形態例に係る光アウトレットを示す斜視図である。
【図２】本発明の一使用例を示す分解斜視図である。
【図３】本発明の一使用例を示す斜視図である。
【図４】本発明の一使用例を示す斜視図である。
【図５】本発明の他の使用例を示す斜視図である。
【符号の説明】
【００２５】
１…表側のＳＣ形光コネクタ差込口、２…裏側のＳＣ形光コネクタ差込口、３…従来のフェルールとクラッド径がほとんど同一であるフェルールレス光ファイバ、４…調心スリーブ、５…取付枠固定部、７…光アウトレット。
【図１】
2005084219.tif 000003
【図２】
2005084219.tif 000004
【図３】
2005084219.tif 000005
【図４】
2005084219.tif 000006
【図５】
2005084219.tif 000007